(57)【要約】【課題】  センサプローブを自動的に肌面に対して直角に向けることができ、誰でも正確に肌性状を測定できるようにする。【解決手段】  肌面（Ｓ）に圧し当てて肌の弾力・油分・水分・皮膚温などの肌性状を検出するセンサプローブ（２）が装置本体（３）の先端に設けられた肌性状測定装置（１）において、センサプローブ（２）には、その押圧方向に対して直交するガイド面（Ｇ）が形成されると共に、前記センサプローブ（２）を装置本体（３）に対して球面待遇により連結して前後左右に傾動自在に設けた。【選択図】図１
2007020987.tif 000002
【特許請求の範囲】
【請求項１】
肌面に圧し当てて肌の弾力・油分・水分・皮膚温などの肌性状を検出するセンサプローブが装置本体の先端に設けられた肌性状測定装置において、前記センサプローブには、その押圧方向に対して直交するガイド面が形成されると共に、前記センサプローブが装置本体に対して前後左右に傾動自在に連結されたことを特徴とする肌性状測定装置。
【請求項２】
前記センサプローブが装置本体に対して球面対偶で連結された請求項１記載の肌性状測定装置。
【請求項３】
前記ガイド面が、センサプローブの押圧方向に対して進退可能に配された請求項１記載の肌性状測定装置。
【請求項４】
前記肌性状が肌の弾力であり、前記ガイド面を肌に当接させた状態で肌を連続して叩く振動子を有する弾力センサが前記センサプローブに配された請求項１記載の肌性状測定装置。
【請求項５】
前記肌性状が肌の水分、油分又は皮膚温のいずれかであり、水分、油分又は皮膚温を検出するセンサが前記ガイド面上に配された請求項１記載の肌性状測定装置。
【発明の詳細な説明】
【技術分野】
【０００１】
本発明は、肌面に圧し当てて肌の弾力・油分・水分などの肌性状を検出するセンサプローブが装置本体の先端に設けられた肌性状測定装置に関する。
【背景技術】
【０００２】
最近では、デパートの化粧品売り場だけでなく、商店街の化粧品店などにおいても、化粧品の販売促進用に様々な肌性状測定装置を導入している。
そして、肌の弾力・油分・水分などの肌性状を測定する肌性状測定装置は、顧客の肌の状態を客観的に知るために用いられ、その測定結果に基づいて肌の状態に最適な化粧品をアドバイスすることができ、顧客もその化粧品を購入する客観的資料が提示されるので、販売促進に極めて効果的である。
【０００３】
この種の肌性状測定装置は、例えば特許文献１に示されるように、装置本体の先端側に肌面に圧し当てて肌の弾力・油分・水分・皮膚温などの肌性状を検出するセンサプローブが設けられており、そのセンサプローブの先端に配されたセンサを肌に圧し当てることにより、油分や水分を測定することとしている。
【特許文献１】特開平９−２０６２８２
【０００４】
しかしながらこの場合に、センサ面が肌に密着していれば測定誤差は少ないが、肌面に密着されないときは正確に肌性状を測定することができない。
一般に、センサ面を肌面に密着させるために、センサプローブを肌面に対して直角に向けてその先端を肌面に圧し当てることとしているが、そのように直角に向けても測定部位によっては骨の影響を受けてセンサが肌面に密着せず測定誤差を生ずることがあるため、正確に測定するためには、販売員の経験に頼らざるを得ないという問題があった。
【発明の開示】
【発明が解決しようとする課題】
【０００５】
そこで本発明は、センサプローブを自動的に容易に肌面に対して直角に向けることができ、誰でも正確に肌性状を測定できるようにすることを技術的課題としている。
【課題を解決するための手段】
【０００６】
この課題を解決するために、本発明は、肌面に圧し当てて肌の弾力・油分・水分・皮膚温などの肌性状を検出するセンサプローブが装置本体の先端に設けられた肌性状測定装置において、前記センサプローブには、その押圧方向に対して直交するガイド面が形成されると共に、前記センサプローブが装置本体に対して前後左右に傾動自在に連結されたことを特徴としている。
【発明の効果】
【０００７】
本発明の肌性状測定装置によれば、装置本体を持ってセンサプローブのガイド面を肌に圧し当てれば、センサプローブが装置本体に対して前後左右に傾動自在に連結されているので、ガイド面が肌面に密着されるように傾き、これによりセンサプローブは常に肌面に対して直交する方向に押し当てられる。
【発明を実施するための最良の形態】
【０００８】
本例では、センサプローブを自動的に肌面に対して直角に傾けて、誰でも正確に肌性状を測定できるようにするという目的を達成するため、肌に当接されるガイド面をセンサプローブ先端に設けると共に、そのセンサプローブを装置本体に対して前後左右に傾動自在に連結した。
【０００９】
図１は本発明に係る肌性状測定装置の一例を示す説明図、図２は他の実施形態を示す説明図である。
【実施例１】
【００１０】
図１に示す肌性状測定装置１は、肌性状として肌の弾力を測定するもので、肌面Ｓに圧し当てて肌の弾力を検出するセンサプローブ２が装置本体３の先端に設けられている。
センサプローブ２には、その押圧方向Ｚに対して直交するガイド面Ｇを形成するクッションリング４を押圧方向Ｚに進退可能に支持するクッションホルダ５が形成され、そのクッションホルダ５の中央には、肌を連続して叩く振動子６を有する弾力センサ７が配設されている。
【００１１】
これにより、クッションリング４を肌面Ｓに当接させて所定の押圧力で圧し当てれば、クションリング４がホルダ５内に沈むので、弾力センサ７の振動子６がクッションリング４から突出して肌面に当ることとなる。
【００１２】
また、センサプローブ２は装置本体３の長手方向に対して前後左右に傾動自在に設けられている。
具体的には、装置本体３の先端に形成された凹球面８に摺接する凸球面９が形成され、該凹球面８と凸球面９と球面対偶のジョイントＪが形成され、これにより、センサプローブ２と装置本体３が球面対偶で連結され、センサプローブ２は装置本体３に対して、前後左右に傾動自在に設けられている。
【００１３】
以上が本発明の一構成例であって、次にその作用について図２を伴って説明する。
例えば、顔の肌の弾力を測定する場合に、まず、図２（ａ）クッションリング４の全面を肌面Ｓに均一に当接させるため、センサプローブ２の押圧方向Ｚを肌面Ｓに対して直交するように圧し当てていく。
顔の輪郭は必ずしも頬骨や顎の骨の形状と一致しないので、図２（ｂ）に示すように、測定部位が骨格Ｂの凹凸部にあたる場合、単にセンサプローブ２を肌面Ｓに直角に圧し当てて、クッションリング４が肌面Ｓに当接された所で測定すると、脂肪層の薄い上端側４ａは押圧力が強く、脂肪層の厚い下端側４ｂは押圧力が弱くなるのでクッションリング４の全面を均一に肌面Ｓに当接させることができない。
【００１４】
そこで、さらにセンサプローブ２を肌面Ｓに圧し込むと、図２（ｃ）に示すように、肌面Ｓが骨格Ｂの形状に沿って押し込まれ、その形状に従いセンサプローブ２が前後左右に首を振るので、クッションリング４の全面が均一に肌面Ｓに当接される。
このとき．クッションリング４により形成されるガイド面Ｇが骨格Ｂの形状に沿って押し込まれた肌面Ｓに均一な押圧力で密着することとなるので、センサプローブ２の押圧方向Ｚを自動的に肌面Ｓに対して直交する方向に傾けることができ、したがって誰でも測定誤差なく正確に肌性状を測定することができる。
【実施例２】
【００１５】
上述の説明では、肌の弾力測定装置に適用した場合について説明したが、肌性状が肌の水分である場合は、クッションリング４の先端面を塞いで
とするクッションを設け、そのクッションの中央に電気容量の変化により水分の有無を検出する水分センサを設ければよい。
また、クッションを設ける必要がない場合は、センサプローブ２の押圧方向Ｚに対して進退不能なガイド面Ｇを形成し、該ガイド面に水分センサを配すればよい。
さらに、油分測定装置に適用する場合はガイド面Ｇに油分センサを配し、皮膚温測定装置に適用する場合はガイド面Ｇに温度センサを配すればよい。
さらにまた、上述した弾力、水分、油分、皮膚温以外の肌性状を測定する装置にも、適宜のセンサを配することに適用することができる。
【産業上の利用可能性】
【００１６】
以上述べたように、本発明は、センサプローブを肌面に圧し当てて肌の弾力・油分・水分・皮膚温などの肌性状を測定する用途に適用することができる。
【図面の簡単な説明】
【００１７】
【図１】本発明に係る肌性状測定装置の一例を示す説明図。
【図２】その使用状態を示す説明図。
【符号の説明】
【００１８】
１  肌性状測定装置
２  センサプローブ
３  装置本体
Ｚ  押圧方向
Ｇ  ガイド面
４  クッションリング
７  弾力センサ
【図１】
2007020987.tif 000003
【図２】
2007020987.tif 000004